(57)【要約】【課題】高周波増幅用半導体部素子の特性を調整することができる高周波モジュール基板を提供する。【解決手段】分波回路ＤＩＰ０１と、スイッチ回路ＳＷ０１，ＳＷ０２と、複数の高周波増幅用半導体素子ＡＭＰ０１１〜０１３、０２１〜０２３と、高周波増幅用半導体素子の出力をモニタするためのカプラＣＯＰ０１、ＣＯＰ０２とを具備するとともに、高周波増幅用半導体素子に接続される直流電圧供給用バイアス線路ＢＬ０１１〜ＢＬ０２３のうち少なくとも１つとグランドとの間にコンデンサＣ０１１〜Ｃ０２３を接続し、さらにコンデンサＣ０１１〜Ｃ０２３とグランドとの間に誘導性素子Ｌ０１１〜Ｌ０２３を接続する。または、直流電圧供給用バイアス線路ＢＬ０１１〜ＢＬ０２３のうち少なくとも１つとグランドとの間に低容量コンデンサＣＬ０１１〜ＣＬ０２３を接続する。【選択図】図２
2004166188.tif 000002
【特許請求の範囲】
【請求項１】
複数の誘電体層と導体層とを積層形成してなる多層基板の表面及び／または内部に、通過帯域の異なる複数の送受信系を各送受信系に分ける分波回路と、該分波回路に接続され、前記各送受信系を送信系と受信系に切り替えるスイッチ回路と、該スイッチ回路に接続され、各送信系の通過帯域での送信信号を増幅する複数の高周波増幅用半導体素子と、該高周波増幅用半導体素子の出力をモニタするためのカプラとを具備するとともに、該高周波増幅用半導体素子に接続される直流電圧供給用バイアス線路のうち少なくとも１つにコンデンサが接続され、該コンデンサとグランドとの間に誘導性素子が接続されていることを特徴とする高周波モジュール基板。
【請求項２】
前記直流電圧供給用バイアス線路の途中に少なくとも１個以上のコンデンサが接続され、該コンデンサとグランドとの間に、少なくとも１個以上の誘導性素子が接続されていることを特徴とする請求項１記載の高周波モジュール基板。
【請求項３】
前記コンデンサに接続される誘導性素子が、グランドビアで形成されていることを特徴とする請求項１または請求項２記載の高周波モジュール基板。
【請求項４】
前記コンデンサに接続される誘導性素子が、ビアと少なくとも１層以上のパターンを介してグランドと接続されていることを特徴とする請求項１または請求項２記載の高周波モジュール基板。
【請求項５】
複数の誘電体層と導体層とを積層形成してなる多層基板の表面及び／または内部に、通過帯域の異なる複数の送受信系を各送受信系に分ける分波回路と、該分波回路に接続され、前記各送受信系を送信系と受信系に切り替えるスイッチ回路と、該スイッチ回路に接続され、各送信系の通過帯域での送信信号を増幅する複数の高周波増幅用半導体素子と、該高周波増幅用半導体素子の出力をモニタするためのカプラとを具備するとともに、該高周波増幅用半導体素子に接続される直流電圧供給用バイアス線路のうち少なくとも１つと、グランドとの間に低容量のコンデンサが接続されていることを特徴とする高周波モジュール基板。
【請求項６】
前記コンデンサの容量が１００ｐＦ以下であることを特徴とする請求項５記載の高周波モジュール基板。
【請求項７】
前記直流電圧供給用バイアス線路の少なくとも一部が誘電体多層基板表面に形成され、前記バイアス線路に接続されるコンデンサが表面に実装されていることを特徴とする請求項１乃至請求項６のいずれかに記載の高周波モジュール基板。
【請求項８】
前記コンデンサが、前記多層基板の誘電体層の一部を対向電極で挟んで形成されていることを特徴とする請求項１乃至請求項６のいずれかに記載の高周波モジュール基板。
【発明の詳細な説明】
【０００１】
【発明の属する技術分野】
本発明は、携帯電話等に搭載される高周波モジュール基板に関するものである。
【０００２】
【従来技術】
近年の携帯電話の普及とともに、携帯電話の機能、サービスの向上が図られている。その中で、新たな携帯電話として、マルチバンド対応携帯電話が提案されている。このマルチバンド対応携帯電話は、通常の携帯電話が一つの送受信系のみからなるのに対して、２つ以上の送受信系に対応できるものである。これにより、利用者は、適宜、都合の良い送受信系を選択して利用することができるものである。
【０００３】
また、図１に示すように、携帯電話の小型化のために、通過帯域の異なる複数の送受信系を各送受信系に分ける分波回路ＤＩＰ、および前記各送受信系に送信系と受信系を切り替えるスイッチ回路ＳＷ１，ＳＷ２、通過帯域の送信信号を増幅する高周波増幅用半導体素子ＡＭＰ１，ＡＭＰ２と、高周波増幅用半導体素子からの出力信号の一部を取り出しモニタするためのカプラＣＯＰ１，ＣＯＰ２を有する回路が、多層化された誘電体基板表面或いは内層に形成され、多層誘電体基板の一部にキャビティを設け、その内部に前記高周波増幅用半導体素子が実装されて高周波モジュールが形成される（例えば、特許文献１、２参照）。
【０００４】
このような高周波モジュールに実装される高周波増幅用半導体素子は、通常、複数の増幅素子を直列接続した多段増幅器となっており、個々の増幅素子には、直流電圧供給用バイアス線路が接続され、直流電圧が供給される。そして、高周波に対しては、４分の１波長のスタブとして機能させることで、高周波信号が直流電圧源に流れ込まないようにしている。
【０００５】
また、多段の高周波増幅用半導体素子の電気的特性は、その最終段に接続される出力整合回路により、出力電力や高調波などが規格を満足するように調整されている。
【０００６】
〔特許文献１〕
特開２００２−２３２３２０
〔特許文献２〕
特開２００２−１７１１９６
【０００７】
【発明が解決しようとする課題】
しかしながら、従来の高周波モジュールにおける、出力電力と出力制御用電圧とは、複数個の増幅素子が直列接続された多段増幅器にありがちな、増幅素子の動作が次段に切り替わる点で波形の乱れが発生し、図６に示されるように出力電力と出力制御用電圧の関係が直線的に変化しないという問題があった。
【０００８】
このため、携帯端末に搭載して出力電力を制御しようとした際、所望の電力を得るまでに時間がかかるだけでなく、最悪の場合、所望の電力を得るための出力制御電圧値が２つ以上存在することとなり、制御不能に陥る可能性があった。
【０００９】
これを改善するためには、高周波増幅用半導体素子の各段の増幅率等の設計変更が必要となるため、特性改善の効果を得るまでに多くの時間とコストが必要であった。
【００１０】
従って、本発明は、高周波半導体増幅素子の設計変更することなく、出力制御用電圧に対し出力電力が直線的に変化するようにした高周波用モジュール基板を提供することを目的とするものである。
【００１１】
【課題を解決するための手段】
本発明の高周波モジュール基板は、複数の誘電体層と導体層とを積層形成してなる多層基板の表面及び／または内部に、通過帯域の異なる複数の送受信系を各送受信系に分ける分波回路と、該分波回路に接続され、前記各送受信系を送信系と受信系に切り替えるスイッチ回路と、該スイッチ回路に接続され、各送信系の通過帯域での送信信号を増幅する複数の高周波増幅用半導体素子と、該高周波増幅用半導体素子の出力をモニタするためのカプラとを具備するとともに、該高周波増幅用半導体素子に接続される直流電圧供給用バイアス線路のうち少なくとも１つにコンデンサが接続され、該コンデンサとグランドとの間に誘導性素子が接続されていることを特徴とするものである。
【００１２】
本発明によれば、直流電圧供給用バイアス線路に接続されるコンデンサと前記コンデンサとグランドとの間に接続される誘導性素子によって、縦続接続される高周波半導体増幅素子間を適切なインピーダンスになるように調整することができる。これにより、高周波半導体増幅素子の設計を変更することなく、出力制御用電圧に対する出力電力特性の形状が線形になるように改善できる。つまり、高周波増幅用半導体素子を搭載するための高周波モジュール基板に特性調整機能を持たせることができるのである。
【００１３】
また、かかる高周波モジュール基板においては、前記直流電圧供給用バイアス線路の途中に少なくとも１個以上のコンデンサが接続され、該コンデンサとグランドとの間に、少なくとも１個以上の誘導性素子が接続されていることによって縦続接続される高周波増幅用半導体素子間を適切なインピーダンスになるよう調整することができる。
【００１４】
また、前記誘導性素子をグランドビアで形成したり、さらには、ビアと少なくとも１層以上のパターンを介してグランドと接続することによって、高周波モジュールの部品数を増やすことなく、所望の特性が実現できる。
【００１５】
また、本発明によれば、前記高周波増幅用半導体素子に接続される直流電圧供給用バイアス線路の少なくとも１つと、グランドとの間に低容量のコンデンサを接続することによっても波形の直線化を図ることができる。特に、前記コンデンサの容量が１００ｐＦ以下であることが望ましい。
【００１６】
一般に、直流電圧供給用バイアス線路とグランドとの間には１０００ｐＦ以上のコンデンサを設けることによって、前記コンデンサと前記バイアス線路とで共振させて、高周波増幅用半導体素子からの高周波信号が直流電圧供給用端子へ流れないように制御することができる。
【００１７】
しかし、コンデンサがこのように大容量である場合、直流電圧供給用バイアス線路の共振によって、高周波的にオープン（開放）となる。しかし、これでは、回路的に接続されていないのと同じであり、ＩＣとＩＣ間のインピーダンスを調整することはできない。ところが、コンデンサを１００ｐＦ以下の低容量とすることによって共振はオープンから少し外れることで、ＩＣ間のインピーダンスの調整を行うことができるようになる。その結果、波形の乱れを調整し、波形を直線化することができる。
【００１８】
また、上記のコンデンサは、表面実装部品として形成することによって、実装するコンデンサの容量等を調整するによって容易にインピーダンスを調整することができる。また、誘電体層の一部を対向電極で挟んでコンデンサを形成することによって、部品点数の低減化と回路の高密度、小型化を図ることができる。
【００１９】
【発明の実施の形態】
図２に、本発明に係る高周波モジュール基板における回路図を示す。かかる回路によれば、複数の通過帯域の信号を通過帯域毎に分ける分波回路ＤＩＰ０１、各送信系の通過帯域の送信信号を増幅するための高周波増幅用半導体素子ＡＭＰ０１１、ＡＭＰ０１２、ＡＭＰ０１３、ＡＭＰ０２１、ＡＭＰ０２２、ＡＭＰ０２３、各送受信系の送信系と受信系を切り換えるダイオードスイッチ回路ＳＷ０１、ＳＷ０２、出力信号の一部をモニタするためのカプラＣＯＰ０１、ＣＯＰ０２から構成されている。
【００２０】
なお、高周波スイッチＳＷ０１及びＳＷ０２は、ＧＳＭ／ＤＣＳデュアルバンド方式の携帯電話機において、それぞれのシステムに対応する送信回路と共通回路である分波回路との接続、および受信回路と共通回路である分波回路との接続を切り換えるために用いられる。
【００２１】
高周波増幅用半導体素子ＡＭＰ０１１に直流電圧を供給するための端子Ｖ０１１は、電圧供給用バイアス線路ＢＬ０１１を介してＡＭＰ０１１の出力側に接続されている。また、電圧供給用バイアス線路ＢＬ０１１の途中には、コンデンサＣ０１１が接続され、前記コンデンサとバイアス線路ＢＬ０１１とで共振させて、ＡＭＰ０１１からの高周波信号が直流電圧供給用端子Ｖ０１１へ流れないようにしている。
【００２２】
また前記コンデンサＣ０１１とグランドとの間にはインダクタＬ０１１が接続されている。コンデンサＣ０１１とインダクタＬ０１１が電圧供給用バイアスＢＬ０１１に接続されていることにより、高周波増幅用半導体素子ＡＭＰ０１１の出力側のインピーダンスを調整することが可能となり、次段の高周波増幅用半導体素子ＡＭＰ０１２との整合状態を変えることができる。
【００２３】
同様に、高周波増幅用半導体素子ＡＭＰ０１２に直流電圧を供給するための端子Ｖ０１２は、電圧供給用バイアス線路ＢＬ０１２を介してＡＭＰ０１２の出力側に接続されている。また、電圧供給用バイアス線路ＢＬ０１２の途中には、コンデンサＣ０１２が接続され、前記コンデンサとバイアス線路ＢＬ０１２とで共振させて、ＡＭＰ０１２からの高周波信号が直流電圧供給用端子Ｖ０１２へ流れないようにしている。
【００２４】
また、前記コンデンサＣ０１２とグランドとの間には、誘導性素子としてインダクタＬ０１２が接続されている。コンデンサＣ０１２とインダクタＬ０１２が電圧供給用バイアスＢＬ０１２に接続されていることにより、高周波増幅用半導体素子ＡＭＰ０１２の出力側のインピーダンスを調整することが可能となり、次段の高周波増幅用半導体素子ＡＭＰ０１３との整合状態を変えることができる。
【００２５】
更に、高周波増幅用半導体素子ＡＭＰ０１３に直流電圧を供給するための端子Ｖ０１３は、電圧供給用バイアス線路ＢＬ０１３を介してＡＭＰ０１３の出力側に接続されている。また、電圧供給用バイアス線路ＢＬ０１３の途中には、コンデンサＣ０１３が接続され、前記コンデンサとバイアス線路ＢＬ０１３とで共振させて、ＡＭＰ０１３からの高周波信号が直流電圧供給用端子Ｖ０１３へ流れないようにしている。
【００２６】
また前記コンデンサＣ０１３とグランドとの間には誘導性素子としてインダクタＬ０１３が接続されている。コンデンサＣ０１３とインダクタＬ０１３が電圧供給用バイアスＢＬ０１３に接続されていることにより、高周波増幅用半導体素子ＡＭＰ０１３の出力側のインピーダンスを調整することが可能となる。
【００２７】
また同様に、高周波増幅用半導体素子ＡＭＰ０２１に直流電圧を供給するための端子Ｖ０２１は、電圧供給用バイアス線路ＢＬ０２１を介してＡＭＰ０２１の出力側に接続されている。また、電圧供給用バイアス線路ＢＬ０２１の途中には、コンデンサＣ０２１が接続され、前記コンデンサとバイアス線路ＢＬ０２１とで共振させて、ＡＭＰ０２１からの高周波信号が直流電圧供給用端子Ｖ０２１へ流れないようにしている。
【００２８】
また前記コンデンサＣ０２１とグランドとの間には誘導性素子としてインダクタＬ０２１が接続されている。コンデンサＣ０２１とインダクタＬ０２１が電圧供給用バイアスＢＬ０２１に接続されていることにより、高周波増幅用半導体素子ＡＭＰ０２１の出力側のインピーダンスを調整することが可能となり、次段の高周波増幅用半導体素子ＡＭＰ０２２との整合状態を変えることができる。
【００２９】
また、高周波増幅用半導体素子ＡＭＰ０２２に直流電圧を供給するための端子Ｖ０２２は、電圧供給用バイアス線路ＢＬ０２２を介してＡＭＰ０２２の出力側に接続されている。また、電圧供給用バイアス線路ＢＬ０２２の途中には、コンデンサＣ０２２が接続され、前記コンデンサとバイアス線路ＢＬ０２２とで共振させて、ＡＭＰ０２２からの高周波信号が直流電圧供給用端子Ｖ０２２へ流れないようにしている。また前記コンデンサＣ０２２とグランドとの間には誘導性素子としてインダクタＬ０２２が接続されている。コンデンサＣ０２２とインダクタＬ０２２が電圧供給用バイアスＢＬ０２２に接続されていることにより、高周波増幅用半導体素子ＡＭＰ０２２の出力側のインピーダンスを調整することが可能となり、次段の高周波増幅用半導体素子ＡＭＰ０２３との整合状態を変えることができる。
【００３０】
さらに、高周波増幅用半導体素子ＡＭＰ０２３に直流電圧を供給するための端子Ｖ０２３は、電圧供給用バイアス線路ＢＬ０２３を介してＡＭＰ０２３の出力側に接続されている。また、電圧供給用バイアス線路ＢＬ０２３の途中には、コンデンサＣ０２３が接続され、前記コンデンサとバイアス線路ＢＬ０２３とで共振させて、ＡＭＰ０２３からの高周波信号が直流電圧供給用端子Ｖ０２３へ流れないようにしている。また前記コンデンサＣ０２３とグランドとの間には誘導性素子としてインダクタＬ０２３が接続されている。コンデンサＣ０２３とインダクタＬ０２３が電圧供給用バイアスＢＬ０２３に接続されていることにより、高周波増幅用半導体素子ＡＭＰ０２３の出力側のインピーダンスを調整することが可能となる。
【００３１】
上記の高周波回路を多層誘電体基板の表面や内部に形成する場合、各直流電圧供給用バイアス線路に接続されるコンデンサは、チップコンデンサとして基板表面に実装したり、基板内の誘電体層の一部を対向電極で挟んで形成することもできる。
【００３２】
また、コンデンサとグランドとの間に接続される誘導性素子としてのインダクタＬ０１１、Ｌ０１２、Ｌ０１３、Ｌ０２１、Ｌ０２２、Ｌ０２３は、表面実装部品或いは誘電体多層基板内部もしくは表面に形成されるパターン、パターン間結線用ビア等によって実現することができる。
【００３３】
その具体的な例を図３に誘電体多層基板の概略断面図を示す。
【００３４】
図３によれば、この高周波モジュール基板は、複数の誘電体層１ａ〜１ｇによる積層体によって形成されており、その表面には、凹部２が形成され、その内部の底面には、高周波増幅用半導体素子ＡＭＰが実装されている。
【００３５】
誘電体基板１の表面には、直流電圧供給用バイアス線路ＢＬ１、ＢＬ２が形成されており、直流電圧供給用バイアス線路ＢＬ１、ＢＬ２の一方の端部は、誘電体基板１の内部に形成された配線Ｌ１、Ｌ２、また誘電体基板を貫通して形成されたビアＶ１、Ｖ２、さらにはワイヤＷ１、Ｗ２を経由して、基板凹部２内に実装された高周波増幅用半導体素子ＡＭＰと接続されている。
【００３６】
また、誘電体基板表面に形成された直流電圧供給用バイアス線路ＢＬ１の他端は、基板１表面に実装されたコンデンサＣ１と接続されている。
【００３７】
そして、コンデンサＣ１は、誘電体基板１内を垂直に基板の裏面にまで貫通して形成されたビアＶ３と接続され、基板の裏面に形成されたグランドパターンＧＮＤ１と接続されている。
【００３８】
かかる構成によって、ビアＶ３によってインダクタンスが形成され、そのインダクタンスが、前記図２の回路におけるインダクタＬ０１１、Ｌ０１２、Ｌ０１３、Ｌ０２１、Ｌ０２２、Ｌ０２３を形成する。
【００３９】
一方、誘電体基板１表面に実装されたコンデンサＣ２は、ビアＶ４によって、基板内部に形成されたグランドパターンＧＮＤ２と接続される。そして、基板内部のグランドパターンＧＮＤ２は、さらにＶ５を介して基板１裏面のグランドパターンＧＮＤ３に接続されている。
【００４０】
かかる構成によって、ビアＶ５及びビアＶ４、更にＧＮＤ２の持つインダクタンスによって、図２の回路におけるインダクタＬ０１１、Ｌ０１２、Ｌ０１３、Ｌ０２１、Ｌ０２２、Ｌ０２３の役割を果たすこともできる。
【００４１】
このように、インダクタＬ０１１、Ｌ０１２、Ｌ０１３、Ｌ０２１、Ｌ０２２、Ｌ０２３を、ビアＶ５及びビアＶ４と、基板内部に形成した導体パターンＧＮＤ２を介してグランドＧＮＤ３と接続することによって、高周波モジュールの部品数を増やすことなく、所望の特性が実現できる。
【００４２】
また、直流電圧供給用バイアス線路ＢＬ１、ＢＬ２の一部または全部を誘電体多層基板１表面に形成することによって、その長さを容易に変更することが可能となり、これによってインピーダンスの調整を容易に行うことができる。
【００４３】
そして、本発明における前述したように、直流電圧供給用バイアス線路ＢＬ１、ＢＬ２に接続されるコンデンサＣ１、Ｃ２とグランドＧＮＤ１、ＧＮＤ２との間に、ビアやパターン等によってインダクタを挿入する方法とを適宜組み合わせることによって、高周波増幅用半導体素子の出力制御電圧に対する出力電力特性の調整、改善が容易かつ効果的に行える結果、図５に示すように、出力電力と出力制御用電圧の関係を直線的に制御することができる。
【００４４】
一方、直流電圧供給用バイアス線路ＢＬ２の他端は、ビアＶ４を介して、誘電体層１ｂを挟持する一対の対向電極の一方の電極Ｅ１と接続されている。そして、他方の電極Ｅ２は、ビアＶ５によって、基板内部に形成されたグランドパターンＧＮＤ２と接続される。そして、基板内部のグランドパターンＧＮＤ２は、さらにＶ６を介して基板１裏面のグランドパターンＧＮＤ３に接続されている。
【００４５】
かかる構成によって、一対の電極Ｅ１、Ｅ２間でコンデンサＣ２が形成され、またビアＶ５及びビアＶ６、更にＧＮＤ２の持つインダクタンスによって、図２の回路におけるインダクタＬ０１１、Ｌ０１２、Ｌ０１３、Ｌ０２１、Ｌ０２１、Ｌ０２３の役割を果たすこともできる。
【００４６】
このように、コンデンサＣを誘電体層の一部を対向電極で挟んで形成したり、インダクタＬ０１１、Ｌ０１２、Ｌ０１３、Ｌ０２１、Ｌ０２１、Ｌ０２３を、ビアＶ２や、ビアＶ５及びビアＶ６と、基板内部に形成した導体パターンＧＮＤ２を介してグランドＧＮＤ３と接続することによって、高周波モジュールの部品数を増やすことなく、所望の特性が実現できる。
【００４７】
また、直流電圧供給用バイアス線路ＢＬ１、ＢＬ２の一部または全部を誘電体多層基板１表面に形成することによって、その長さを容易に変更することが可能となり、これによってインピーダンスの調整を容易に行うことができる。
【００４８】
そして、本発明における前述したように、直流電圧供給用バイアス線路ＢＬ１、ＢＬ２に接続されるコンデンサＣ１、Ｃ２とグランドＧＮＤ１、ＧＮＤ２との間に、ビアやパターン等によってインダクタを挿入する方法とを適宜組み合わせることによって、高周波増幅用半導体素子の出力制御電圧に対する出力電力特性の調整、改善が容易かつ効果的に行える結果、図５に示すように、出力電力と出力制御用電圧の関係を直線的に制御することができる。
【００４９】
また、本発明によれば、図４の高周波モジュールの回路図に示すように、図２の高周波モジュールにおいて、誘導性素子としてのインダクタＬ０１１、Ｌ０１２、Ｌ０１３、Ｌ０２１、Ｌ０２２、Ｌ０２３を設ける代わりに、高周波増幅用半導体素子に接続される直流電圧供給用バイアス線路ＢＬ０１１〜ＢＬ０２３との間に、低容量のコンデンサＣＬ０１１、ＣＬ０１２、ＣＬ０１３、ＣＬ０２１、ＣＬ０２２、ＣＬ０２３を設けることによっても同様の効果を奏する。特にこのコンデンサの容量は１００ｐＦ以下、さらには７０ｐＦ以下であることが適当である。この場合、図３におけるコンデンサＣ１、Ｃ２の容量を上記のように調整すればよい。
【００５０】
また、低容量コンデンサを用いた場合、ビアＶ３，Ｖ４，Ｖ５，Ｖ６や、グランドＧＮＤ２にインダクタを発生させることによって、細かな調整を行うことができ、図５に示したように、出力電力と出力制御用電圧の関係を直線的に制御することができる。
【００５１】
なお、本発明によれば、上記のように、多層誘電体基板の表面に、高周波増幅用半導体素子ＡＭＰやコンデンサＣ１、Ｃ２が実装された基板の表面は、蓋体によって気密に封止されることが望ましい。
【００５２】
【発明の効果】
以上のように、本発明の高周波モジュール基板では、高周波増幅用半導体素子への直流電圧供給用バイアス線路とグランドの間にコンデンサを接続することで、高周波増幅用半導体素子からの高周波信号が直流電圧供給用端子へ流れないように制御することができるが、前記コンデンサとグランドとの間に誘導性素子を接続する、あるいは低容量のコンデンサを設けることによって、縦続接続される高周波増幅用半導体素子間を適切なインピーダンスになるよう調整することができる。これにより、高周波増幅用半導体素子の設計を変更することなく、出力制御用電圧に対する出力電力特性が直線的に変化するように改善できる。
【図面の簡単な説明】
【図１】高周波モジュールの基本回路構成である。
【図２】本発明に係る高周波増幅用半導体素子の特性を調整できる高周波モジュールの回路図である。
【図３】本発明に係る高周波モジュール用誘電体多層基板の概略断面図である。
【図４】本発明に係る高周波増幅用半導体素子の特性を調整できる高周波モジュールの他の回路図である。
【図５】本発明に係る高周波モジュールの電気的特性である。
【図６】従来の高周波モジュールの電気的特性である。
【符号の説明】
ＡＮＴ・・・アンテナ端子
ＣＯＰ１、ＣＯＰ２・・・カプラ
ＤＩＰ・・・分波回路
ＳＷ１、ＳＷ２・・・高周波スイッチ回路
ＡＭＰ、ＡＭＰ１、ＡＭＰ２、ＡＭＰ０１１、ＡＭＰ０１２、ＡＭＰ０１３、ＡＭＰ０２１、ＡＭＰ０２２、ＡＭＰ０２３・・・高周波増幅用半導体素子
Ｒｘ０１、Ｒｘ０２・・・受信信号用端子
ＭＯＮ０１、ＭＯＮ０２・・・モニタ出力端子
ＢＬ０１１、ＢＬ０１２、ＢＬ０１３、ＢＬ０２１、ＢＬ０２２、ＢＬ０２３、ＢＬ１、ＢＬ２・・・直流電圧供給用バイアス線路
Ｃ０１１、Ｃ０１２、Ｃ０１３、Ｃ０２１、Ｃ０２２、Ｃ０２３、Ｃ１、Ｃ２・・・コンデンサ
ＣＬ０１１、ＣＬ０１２、ＣＬ０１３、ＣＬ０２１、ＣＬ０２２、ＣＬ０２３・・・低容量コンデンサ
Ｌ０１１、Ｌ０１２、Ｌ０１３、Ｌ０２１、Ｌ０２２、Ｌ０２３、Ｌ１、Ｌ２・・・インダクタ
Ｖｉａ１、Ｖｉａ２、Ｖｉａ３・・・パターン間接続用ビア
ＧＮＤ１、ＧＮＤ２、ＧＮＤ３・・・接地用グランドパターン
ＡＰＣ・・・出力電力制御回路
【図１】
2004166188.tif 000003
【図２】
2004166188.tif 000004
【図３】
2004166188.tif 000005
【図４】
2004166188.tif 000006
【図５】
2004166188.tif 000007
【図６】
2004166188.tif 000008